(57)【要約】【課題】簡易に架空ケーブルに取付け可能な鳥害防止具を提供することを目的とする。【解決手段】架空ケーブルに取付けられる鳥害防止具であって、架空ケーブルに巻回して組み付けられて当該架空ケーブルを支持する螺旋状の支持具と、支持具上の複数箇所に固設され、鳥害防止線が挿通される挿通穴をそれぞれ備えた複数の突状部と、複数の前記挿通穴を挿通して張架される鳥害防止線と、を有し、支持具及び複数の突状部は、絶縁性を有する素材によって形成されることを特徴とする。【選択図】図１
2019062707.tif 000002
【特許請求の範囲】
【請求項１】
架空ケーブルに取付けられる鳥害防止具であって、
前記架空ケーブルに巻回して組み付けられて当該架空ケーブルを支持する螺旋状の支持具と、
前記支持具上の複数箇所に固設され、鳥害防止線が挿通される挿通穴をそれぞれ備えた複数の突状部と、
複数の前記挿通穴を挿通して張架される鳥害防止線と、
を有することを特徴とする鳥害防止具。
【請求項２】
前記支持具及び複数の前記突状部は、絶縁性を有する素材によって形成されることを特徴とする請求項１に記載の鳥害防止具。
【発明の詳細な説明】
【技術分野】
【０００１】
本発明は、鳥害防止具に関する。
【背景技術】
【０００２】
従来、電柱間に架線されている送電線や電話線等の架空ケーブルでは、架空ケーブルに留まった鳩等の鳥類による糞被害が問題となっていた。このような問題を解決すべく、鳥類が留まれないようにする鳥害防止具を架空ケーブルに対して取り付ける等の各種の発明がなされてきた（例えば、特許文献１、２参照）。
【０００３】
特許文献１には、上記の鳥害防止具に関し、湾曲した状態の架空ケーブルであっても容易に設置するべく、架空ケーブルに装着するための複数のクリップ部及び各クリップ部間に配置される連結部に関する技術が開示されている。
【０００４】
また、特許文献２には、単純な構成で架空ケーブルの長さ方向にも長く簡単に取り付けるべく、円形形状の本体部の内部から外部にかけて連通する切込部を有し、架空ケーブルを本体部に挿入する場合に、切込部を架空ケーブルが通過して本体部の内部に収容されるようにした鳥害防止具に係る技術が開示されている。
【先行技術文献】
【特許文献】
【０００５】
【特許文献１】特開２０１３−１５８３３２号公報
【特許文献２】特開２０１６−２５７２８号公報
【発明の概要】
【発明が解決しようとする課題】
【０００６】
しかしながら、上記従来の鳥害防止具では、当該鳥害防止具を架空ケーブルに対して取付ける際に、作業者が宙乗りや高所作業車等を利用して高所で取付け作業を行う必要があった。具体的には、高所作業車を鳥害防止具が取り付けられる場所付近にその都度移動させて作業を行う必要があった。そのため、取付け作業に手間や時間がかかるという問題があった。
【０００７】
本発明は、上記の点に鑑みてなされたものであり、簡易に架空ケーブルに取付け可能な鳥害防止具を提供することを目的とする。
【課題を解決するための手段】
【０００８】
上記の目的を達成するために、本発明に係る鳥害防止具は、架空ケーブルに取付けられる鳥害防止具であって、前記架空ケーブルに巻回して組み付けられて当該架空ケーブルを支持する螺旋状の支持具と、前記支持具上の複数箇所に固設され、鳥害防止線が挿通される挿通穴をそれぞれ備えた突状部と、複数の前記挿通穴を挿通して張架される鳥害防止線と、を有することを特徴とする。
【発明の効果】
【０００９】
本発明によれば、簡易に架空ケーブルに取付け可能な鳥害防止具を提供することができる。
【図面の簡単な説明】
【００１０】
【図１】本発明の実施形態に係る鳥害防止具の第一の例を示す図である。
【図２】本発明の実施形態に係る鳥害防止具の第二の例を示す図である。
【発明を実施するための形態】
【００１１】
以下、本発明の実施形態について説明する。
【００１２】
［鳥害防止具の第一の例］
図１は、本発明の実施形態に係る鳥害防止具の第一の例を示す図である。図１（ａ）、（ｂ）は、それぞれ鳥害防止具１０の正面図、側面図を示している。また説明の便宜上、図１（ａ）、（ｂ）では当該鳥害防止具１０が組み付けられる吊線２及び架空ケーブル３も併せて図示している。
【００１３】
図１（ａ）、（ｂ）に示す鳥害防止具１０は、鳩等の鳥類が架空ケーブル３に留まれないようにするためのものであり、架空ケーブル３に対して取付けられる。ここでいう架空ケーブル３とは、電柱間や電柱と建造物との間に張架される複数本（図１（ａ）、（ｂ）では６本）の光ファイバー、電話線等の通信ケーブルである。但し、架空ケーブル３は送電線のケーブルであっても良い。吊線２は、いわゆる鋼線等で形成されたメッセンジャーワイヤーである。
【００１４】
鳥害防止具１０は、架空ケーブル３を支持する支持具１１と、支持具１１に直接固設される複数の突状部１２と、鳥害防止線１３とを備えた構成である。以下、各構成要素について説明を行う。
【００１５】
支持具１１は、連続螺旋状に成形されており、吊線２及び架空ケーブル３周りに巻回して組み付けられて架空ケーブル３を支持する器具、例えばスパイラルハンガー（登録商標）である。この支持具１１は、既知のスパイラルハンガーと同様の方法により吊線２及び架空ケーブル３に架設されるものである。スパイラルハンガーの架設方法については既知の技術のために説明を省略するが、スパイラルハンガーの架設方法は宙乗りや高所作業車等が不要であるという利点がある。
【００１６】
そして、本第一の例に係る鳥害防止具１０はこのような支持具１１を備えることにより、架空ケーブル３への取付けに際して宙乗りや高所作業車等を利用して高所で取付け作業を行う必要がなくなり、簡易に架空ケーブル３に取り付けることが可能となる。
【００１７】
このような支持具１１は、絶縁性を有する素材、図１（ａ）、（ｂ）に示す例では数本の針金を撚り合わせた撚線を外側からビニール等で被覆した棒状材によって成形される。但し、この支持具１１は、棒状材に限定されるものではない。例えば板状体（図２参照）であっても良い。
【００１８】
突状部１２は、図１（ａ）、（ｂ）に示すように螺旋状の支持具１１の外周上に等ピッチで複数個設けられ、図１（ｂ）に示すように半径方向外向きに立設する態様で支持具１１に対して樹脂接着等により直接固設される棒状材である。
【００１９】
各突状部１２は、鳥害防止線１３が挿通される挿通穴１２ａを備える。この突状部１２は、支持具１１と同様に絶縁性を有する素材によって成形される。図１（ａ）、（ｂ）に示す例では、数本の針金を撚り合わせた撚線を外側からビニール等で被覆した棒状材を、その途中で円状に折曲させることによって挿通穴１２ａを形成している。このような各突状部１２は、先端に向かって尖った形状となっているため、鳥類が突状部１２の先端に留まれないようになっている。
【００２０】
鳥害防止線１３は、各突状部１２に備わった挿通穴１２ａの間を挿通して張架される、例えばピアノ線等の鳥類が留まることができない細線である。但し、鳥害防止線１３は細線に限定されるものではなく、例えば防鳥テープであっても良い。
【００２１】
以上に示す鳥害防止具１０では、複数の突状部１２のいずれもが鉛直上方向を向いた態様で配置される。これにより、架空ケーブル３の鉛直上方に鳥害防止線１３が張架されることとなり、鳥類が架空ケーブル３に留まれないようにすることができる。
【００２２】
なお、各突状部１２が鉛直上方向を向いた態様で配置されるべく、支持具１１の半径位置１１ａ、すなわち突状部１２と逆側の位置に別途重りを設けても良い。また、各突状部１２をその途中で複数回円状に折曲させることによって、各突状部１２に複数個の挿通穴を形成しても良い。この場合、複数本の鳥害防止線１３を張架することが可能となる。
【００２３】
更に、支持具１１の外周上に設けられる突状部１２の個数は、図１（ａ）に示す個数に限定されるものではない。例えばピッチを図１（ａ）に例示するピッチの２倍にする、すなわち２回の螺旋につき１個の突状部１２を設けることにより、半分の数の突状部１２が配置されるようにしても良い。いずれの場合も、鳥害防止線１３を張架するために少なくとも２個以上の突状部１２が設けられることになる。
【００２４】
［鳥害防止具の第二の例］
図２は、本発明の実施形態に係る鳥害防止具の第二の例を示す図である。図２（ａ）、（ｂ）は、それぞれ鳥害防止具２０の正面図、側面図を示している。図２（ｃ）は、突状部２２の拡大図を示している。
【００２５】
図２（ａ）、（ｂ）に示す鳥害防止具２０は、鳩等の鳥類が架空ケーブル４に留まれないようにするためのものであり、架空ケーブル４に対して取付けられる。ここでいう架空ケーブル４とは、電柱間や電柱と建造物との間に張架される３本の送電線のケーブルである。但し、図１（ａ）、（ｂ）で示したような複数本の通信ケーブルであっても良い。
【００２６】
鳥害防止具２０は、架空ケーブル４を支持する支持具２１と、支持具２１に直接固設される複数の突状部２２と、鳥害防止線２３とを備えた構成である。以下、各構成要素について説明を行う。
【００２７】
支持具２１は、連続螺旋状に成形されており、架空ケーブル４周りに巻回して組み付けられて架空ケーブル４を支持する器具、ここでは塩化ビニール等の絶縁性を有する素材によって成形された板状体である。
【００２８】
この支持具２１は、図１に示す支持具１１と同様、既知のスパイラルハンガーと同様の方法により架空ケーブル４に架設されるものである。スパイラルハンガーの架設方法については既知の技術のために説明を省略するが、スパイラルハンガーの架設方法は宙乗りや高所作業車等が不要であるという利点がある。
【００２９】
そして、本第二の例に係る鳥害防止具２０はこのような支持具２１を備えることにより、架空ケーブル４への取付けに際して宙乗りや高所作業車等を利用して高所で取付け作業を行う必要がなくなり、簡易に架空ケーブル４に取り付けることが可能となる。
【００３０】
突状部２２は、図２（ｃ）に示すように、付根部分が円柱状で、途中から先端に向かって鋭く尖った尖頭形状を成しており、プラスチック等の絶縁性を有する素材により成形されるものである。この突状部２２には挿通穴２２ａが形成されており、各突状部２２の挿通穴２２ａを鳥害防止線２３が挿通する。このような突状部２２は、先端に向かって尖った形状となっているため、鳥類が突状部２２の先端に留まれないようになっている。なお、当該挿通穴２２ａに対する鳥害防止線２３の取り付け容易性を考慮して、例えば図２（ｃ）の挿通穴２２ａの右または左側に、突状部２２の外部と連通する切欠きが設けられても良い。
【００３１】
このような突状部２２は、図２（ａ）、（ｂ）に示すように螺旋状の支持具２１の外周上に複数個設けられ、特に図２（ｂ）に示すように円周方向に１２０度間隔で且つ半径方向外向きに立設する態様で支持具２１に対して樹脂接着等により直接固設される。
【００３２】
鳥害防止線２３は、各突状部２２に備わった挿通穴２２ａの間を挿通して張架される、例えばピアノ線等の鳥類が留まることができない細線である。但し、鳥害防止線２３は細線に限定されるものではなく、例えば防鳥テープであっても良い。
【００３３】
以上に示す鳥害防止具２０では、複数の突状部２２が架空ケーブル４の長軸方向周りの三方向を向いた態様で配置される。これにより、少なくともいずれか一方向の突状部２２は架空ケーブル４の上方に配置される。そのため、架空ケーブル４の上方に鳥害防止線２３が張架されることとなり、鳥類が架空ケーブル４に留まれないようにすることができる。
【００３４】
なお、いずれか一方向の突状部２２が鉛直上方向を向いた態様で配置されるべく、螺旋状の支持具２１の半径位置２１ａ、すなわち上記一方向の突状部２２と逆側の位置に別途重りを設けたり、当該半径位置２１ａにおける支持具２１自体の板幅を広くしたりことにより支持具２１の当該位置における重さを重くしても良い。また、各突状部２２において挿通穴２２ａを複数形成しても良い。この場合、上記三方向の夫々の突状部２２に対して複数本の鳥害防止線２３を張架することが可能となる。
【００３５】
更に、支持具２１の外周上に設けられる突状部２２の個数は、図２（ａ）に示す個数に限定されるものではない。例えばピッチを図２（ａ）に例示するピッチの２倍にする、すなわち図２（ａ）に示す例では１回の螺旋回転につき３個の突状部２２が設けられているのに対し、２回の螺旋回転につき３個の突状部２２を設けるように変更することにより、全体として半分の数の突状部２２が配置されるようにしても良い。
【００３６】
以上、本発明の一実施形態について説明したが、上記実施形態は本発明の適用例の一つを示したものであり、本発明の技術的範囲を上記実施形態の具体的構成に限定する趣旨ではない。
【符号の説明】
【００３７】
３、４      架設ケーブル
１０、２０  鳥害防止具
１１、２１  支持具
１２、２２  突状部
１２ａ、２２ａ  挿通穴
１３、２３  鳥害防止線
【図１】
2019062707.tif 000003
【図２】
2019062707.tif 000004